【手続補正書】
【提出日】平成17年4月27日(2005.4.27)
【手続補正１】
【補正対象書類名】明細書
【補正対象項目名】全文
【補正方法】変更
【補正の内容】
【書類名】      明細書
【発明の名称】  景品交換装置
【特許請求の範囲】
【請求項１】
遊技店において遊技者の獲得した玉及び貯玉と交換可能な景品を提供する景品交換装置であって、
記録媒体に音楽データや画像データを記録する記録装置を備えており、挿入されたＩＣカードを介して指示された景品を示す景品情報が音楽データや画像データを示している場合には、通信回線を介して受信した音楽データや画像データ、あるいは通信回線を介して受信して記憶している音楽データや画像データを記録媒体に書き込んで提供することが可能な景品払い出し機を備えている、
ことを特徴とする景品交換装置。
【請求項２】
遊技機毎に設けられ景品の指示操作が可能な景品選択端末と、各遊技機から払い出された玉を計数する玉計数機と、景品払い出し機とを備え、
景品選択端末にＩＣカードが挿入されて玉計数機に玉が投入されて景品交換の指示操作が行われた後、景品選択端末は、前記玉計数機の計数値が、指示された景品の交換玉数以上である場合に指示された景品を示す景品情報と前記計数値とをＩＣカードに記憶し、
景品払い出し機は、景品情報と計数値が記憶されたＩＣカードが挿入されると、ＩＣカードから読み取った計数値から景品情報に対応する交換玉数を減算した減算値を新たな計数値としてＩＣカードに記憶し、ＩＣカードから読み取った景品情報に対応する景品を払い出す、
ことを特徴とする景品交換装置。
【請求項３】
遊技機毎に設けられ景品の指示操作が可能な景品選択端末と、各遊技機から払い出された玉を計数する玉計数機と、景品払い出し機と、会員ＩＤに対応させて貯玉数を記憶する貯玉サーバーとを備え、
景品選択端末に会員ＩＤが記憶されたＩＣカードが挿入されて玉計数機に玉が投入されて景品交換の指示操作が行われた後、景品選択端末は、前記貯玉サーバーから受信した当該会員ＩＤの貯玉数と前記玉計数機の計数値とを加算した加算値が、指示された景品の交換玉数以上である場合に指示された景品を示す景品情報をＩＣカードに記憶し、玉計数機の計数値を会員ＩＤとともに貯玉サーバーに送信し、
貯玉サーバーは、景品交換端末から受信した会員ＩＤに対応する貯玉数に受信した計数値を加算した加算値を新たな貯玉数として記憶し、
景品払い出し機は、景品情報と会員ＩＤとが記憶されたＩＣカードが挿入されると、貯玉サーバーに会員ＩＤとともに景品情報に対応する交換玉数を送信し、ＩＣカードから読み取った景品情報に対応する景品を払い出し、
貯玉サーバーは、景品払い出し機から受信した会員ＩＤに対応する貯玉数から受信した交換玉数を減算した減算値を新たな貯玉数として記憶する、
ことを特徴とする景品交換装置。
【請求項４】
遊技機毎に設けられ景品の指示操作が可能な景品選択端末と、各遊技機から払い出された玉を計数する玉計数機と、景品払い出し機と、景品サーバーとを備え、
景品サーバーには、景品コードと景品の交換玉数とを含む景品データが記憶されており、
景品選択端末にＩＣカードが挿入されて玉計数機に玉が投入されて景品交換の指示操作が行われた後、景品選択端末は、景品サーバーから景品データを受信し、指示された景品を示す景品情報と前記玉計数機の計数値とをＩＤとともに景品サーバーに記憶させ、
景品払い出し機は、前記ＩＤが記憶されたＩＣカードが挿入されると、景品サーバーから前記ＩＤに対応する景品情報と計数値を受信し、受信した景品情報に対応する景品を払い出す、
ことを特徴とする景品交換装置。
【請求項５】
請求項２〜４のいずれかに記載の景品交換装置であって、
景品払い出し機は、挿入されたＩＣカードを介して指示された景品を示す景品情報に対応する景品が音楽データや画像データを示している場合、当該景品情報に対応する音楽データや画像データを記録媒体に書き込んで提供する、
ことを特徴とする景品交換装置。
【請求項６】
請求項５に記載の景品交換装置であって、
景品払い出し機は、記録媒体に書き込んで提供する音楽データや画像データを、通信回線を介して受信し、受信した音楽データや画像データを記憶することが可能である、
ことを特徴とする景品交換装置。
【発明の詳細な説明】
【０００１】
【発明の属する技術分野】
本発明は、パチンコ店等の遊技店において遊技者が獲得したパチンコ玉等（以下、玉という）を景品と交換する景品交換決済装置に関する。
【０００２】
【従来の技術】
従来、パチンコ店等において、遊技者が遊技により獲得した玉を景品と交換する場合には以下のように行っている。
遊技者は、遊技機から玉を払い出して玉箱に収納し、玉箱を各島の端部等に設置されている玉計数機（ジェットカウンター）まで運ぶ。そして、玉箱内の玉を玉計数機の投入口に投入する。玉計数機は、投入された玉を計数し、計数値をＰＯＳ端末で読み取り可能なバーコードレシート等のレシートに書き込んで発行する。遊技者は、発行されたレシートを景品交換窓口に持っていって係員に渡し、希望の景品を指示する。係員は、受け取ったレシートをＰＯＳ端末に挿入してレシートに書き込まれている計数値を確認しながら指示された景品を渡す。
【０００３】
【発明が解決しようとする課題】
このような従来の景品交換装置では、遊技者は、遊技により獲得した玉を玉計数機まで運び、さらに玉計数機で発行されたレシートを景品交換窓口まで持っていかなければならないため、煩わしさがある。例えば、所定の景品と交換したい場合、遊技台の位置では所定の景品の交換玉数が分からないため、余分に玉を玉計数機まで運び、余った玉は遊技機まで持ち帰らなければならない。
また、景品交換窓口でレシートを係員に渡すとともに景品を選択して指示しなければならないため、景品選択に充分な時間をかけることができず、本当に欲しい景品を選択することができない場合がある。特に、閉店時には、景品交換者が集中して行列ができるため、景品選択に時間をかけることができない。
本発明は、このような問題点を解決するために創案されたものであり、容易に、短時間に玉を景品と交換することができる景品交換装置を提供することを課題とする。
【０００４】
【課題を解決するための手段】
前記課題を解決するために、請求項１に記載の発明は、遊技店において遊技者の獲得した玉及び貯玉と交換可能な景品を提供する景品交換装置であって、記録媒体に音楽データや画像データを記録する記録装置を備えており、挿入されたＩＣカードを介して指示された景品を示す景品情報が音楽データや画像データを示している場合には、通信回線を介して受信した音楽データや画像データ、あるいは通信回線を介して受信して記憶している音楽データや画像データを記録媒体に書き込んで提供することが可能な景品払い出し機を備えている景品交換装置である。
また、請求項２に記載の発明は、遊技機毎に設けられ景品の指示操作が可能な景品選択端末と、各遊技機から払い出された玉を計数する玉計数機と、景品払い出し機とを備え、景品選択端末にＩＣカードが挿入されて玉計数機に玉が投入されて景品交換の指示操作が行われた後、景品選択端末は、前記玉計数機の計数値が、指示された景品の交換玉数以上である場合に指示された景品を示す景品情報と前記計数値とをＩＣカードに記憶し、景品払い出し機は、景品情報と計数値が記憶されたＩＣカードが挿入されると、ＩＣカードから読み取った計数値から景品情報に対応する交換玉数を減算した減算値を新たな計数値としてＩＣカードに記憶し、ＩＣカードから読み取った景品情報に対応する景品を払い出す、景品交換装置である。
請求項２に記載の景品交換装置を用いれば、各遊技機の場所で玉を景品に交換する予約を行うことができるため、従来のように玉を玉計数機まで運ぶ必要がなくなり、容易に、短時間に玉を景品に交換することができる。
また、請求項３に記載の発明は、遊技機毎に設けられ景品の指示操作が可能な景品選択端末と、各遊技機から払い出された玉を計数する玉計数機と、景品払い出し機と、会員ＩＤに対応させて貯玉数を記憶する貯玉サーバーとを備え、景品選択端末に会員ＩＤが記憶されたＩＣカードが挿入されて玉計数機に玉が投入されて景品交換の指示操作が行われた後、景品選択端末は、前記貯玉サーバーから受信した当該会員ＩＤの貯玉数と前記玉計数機の計数値とを加算した加算値が、指示された景品の交換玉数以上である場合に指示された景品を示す景品情報をＩＣカードに記憶し、玉計数機の計数値を会員ＩＤとともに貯玉サーバーに送信し、貯玉サーバーは、景品交換端末から受信した会員ＩＤに対応する貯玉数に受信した計数値を加算した加算値を新たな貯玉数として記憶し、景品払い出し機は、景品情報と会員ＩＤとが記憶されたＩＣカードが挿入されると、貯玉サーバーに会員ＩＤとともに景品情報に対応する交換玉数を送信し、ＩＣカードから読み取った景品情報に対応する景品を払い出し、貯玉サーバーは、景品払い出し機から受信した会員ＩＤに対応する貯玉数から受信した交換玉数を減算した減算値を新たな貯玉数として記憶する、景品交換装置である。
請求項３に記載の景品交換装置を用いれば、短時間に景品を受け取ることができ、また景品交換のための人員が削減できる。また、獲得玉と貯玉を合計した玉数で景品と交換できるため、景品の選択範囲が広がる。
また、請求項４に記載の発明は、遊技機毎に設けられ景品の指示操作が可能な景品選択端末と、各遊技機から払い出された玉を計数する玉計数機と、景品払い出し機と、景品サーバーとを備え、景品サーバーには、景品コードと景品の交換玉数とを含む景品データが記憶されており、景品選択端末にＩＣカードが挿入されて玉計数機に玉が投入されて景品交換の指示操作が行われた後、景品選択端末は、景品サーバーから景品データを受信し、指示された景品を示す景品情報と前記玉計数機の計数値とをＩＤとともに景品サーバーに記憶させ、景品払い出し機は、前記ＩＤが記憶されたＩＣカードが挿入されると、景品サーバーから前記ＩＤに対応する景品情報と計数値を受信し、受信した景品情報に対応する景品を払い出す、景品交換装置である。
また、請求項５に記載の発明は、請求項２〜４のいずれかに記載の景品交換装置であって、景品払い出し機は、挿入されたＩＣカードを介して指示された景品を示す景品情報に対応する景品が音楽データや画像データを示している場合、当該景品情報に対応する音楽データや画像データを記録媒体に書き込んで提供する。
また、請求項６に記載の発明は、請求項５に記載の景品交換装置であって、景品払い出し機は、記録媒体に書き込んで提供する音楽データや画像データを、通信回線を介して受信し、受信した音楽データや画像データを記憶することが可能である。
【０００５】
【発明の実施の形態】
以下に、本発明の実施の形態を図面を用いて説明する。
図１は、本発明の景品交換装置の一実施の形態を用いたパチンコ店の概略図である。
図１において、パチンコ店１０内には、遊技機１１〜１４、景品選択端末１５〜１８、貯玉サーバー１９、景品サーバー２０、自動景品払い出し機２１、通信サーバー２２等が設けられており、各機器はＬＡＮ等の通信線２３により接続されている。
各遊技機１１〜１４あるいは景品選択端末１５〜１８等には、各遊技機１１〜１４から払い出された玉を計数する玉計数機が設けられている。景品選択端末１５〜１８は、各遊技台１１〜１４毎に設けられ、景品データ等を表示する表示部、会員カード等のＩＣカード１を挿入するカード挿入口、暗証番号等を入力する入力部、ＩＣカード１に記憶されている会員ＩＤ等を読み取りあるいは指示された景品を示す景品情報や玉計数機の計数値等をＩＣカード１に書き込む読取／書込手段等を有している。貯玉サーバー１９は、会員ＩＤ、暗証番号、会員ＩＤの貯玉数等を含む貯玉データを記憶する。景品サーバー２０は、景品（景品コード、景品名等）や景品の交換玉数等を含む景品データを記憶する。自動景品払い出し機２１は、ＩＣカード１を挿入する挿入口、ＩＣカード１に記憶されている景品情報、計数値、会員ＩＤ等を読み取りあるいは計数値等書き込む読取／書込手段、景品情報に対応する景品を払い出す景品払い出し口等を有している。通信サーバー２２は、各機器とセンター３０に設けられているセンターサーバー３１等とをインターネットあるいは公衆電話網等の通信回線４０を介して接続する。
【０００６】
次に、図１に示した景品交換装置の動作を説明する。
遊技者は、各遊技機１１〜１４に設けられている景品選択端末１５〜１８のカード挿入口にＩＣカード１を挿入する。この時、ＩＣカードとして会員ＩＤが書き込まれている会員カードを用いる場合には入力手段より暗証番号を入力する。
景品選択端末１５〜１８は、読取／書込手段によりＩＣカード１に書き込まれている会員ＩＤを読み取った場合には、読み取った会員ＩＤや入力手段より入力された暗証番号を貯玉サーバー１９に送信して認証を行う。
貯玉サーバー１９は、受信した会員ＩＤや暗証番号を貯玉データとして記憶している会員ＩＤや暗証番号と比較して認証を行う。なお、認証は会員ＩＤのみで行うこともでき、またＩＣカードに貯玉数を記憶している場合には貯玉数も認証に用いてもよい。会員ＩＤのみで認証を行う場合には暗証番号の入力は不要である。
認証がＮＧの場合には、貯玉サーバー１９は、エラー信号を会員ＩＤ等を送信した景品選択端末１５〜１８に送信する。景品選択端末１５〜１８は、エラー信号を受信すると、例えば「暗証番号が間違っています。」等のエラーメッセージを出力、例えば表示手段に表示して、ＩＣカードを排出する。
一方、認証がＯＫの場合には、貯玉サーバー１９は、当該会員ＩＤの貯玉数を会員ＩＤ等を送信した景品選択端末１５〜１８に送信する。これにより、景品選択端末１５〜１８は、当該会員ＩＤの貯玉数を例えば表示手段に出力する。
【０００７】
次に、遊技者は、獲得した玉を遊技機１１〜１４から払い出して各遊技機に設けられている玉計数機に投入する。なお、各遊技機の払い出し口と玉計数機の投入口を連結しておくと、遊技機から払い出した玉の玉計数機への投入処理が容易となる。玉計数機の計数値は、例えば表示手段に表示される。この時、ＩＣカードに会員ＩＤが書き込まれている場合には、計数値と当該会員ＩＤの貯玉数が表示される。なお、計数値と当該会員ＩＤの貯玉数を加算した加算値を表示してもよいし、計数値と当該会員ＩＤの貯玉数と加算値を表示してもよい。
【０００８】
次に、獲得した玉を景品と交換する場合には、遊技者は景品交換を指示する。なお、玉の計数処理、景品交換の指示、ＩＣカード１の景品選択端末への挿入の順序は適宜変更することができる。
景品選択端末１５〜１８は、景品交換が指示されると、景品サーバー２０から景品データを受信して例えば景品や景品の交換玉数等を表示手段に出力する。
遊技者が所定の景品を指示すると、景品選択端末１５〜１８は、玉計数機の計数値が指示された景品の交換玉数以上であるか否かを判断する。この時、ＩＣカード１に会員ＩＤが書き込まれている場合には、玉計数機の計数値と当該会員ＩＤの貯玉数を加算した加算値が指示された景品の交換玉数以上であるか否かを判断する。
計数値あるいは加算値が指示された景品の交換玉数未満である場合には、例えば「玉数不足です。」等のメッセージを出力する。
計数値が指示された景品の交換玉数以上である場合には、景品選択端末は、計数値及び指示された景品を示す景品情報（景品コード、景品の交換玉数等）をＩＣカード１に書き込んで、ＩＣカード１を排出する。
あるいは、計数値と当該会員ＩＤの貯玉数との加算値が指示された景品の交換玉数以上である場合には、景品選択端末１５〜１８は計数値を貯玉サーバー１９に送信する。貯玉サーバー１９は、当該会員ＩＤの貯玉数に受信した計数値を加算し、加算値を当該会員ＩＤの貯玉数として記憶するとともに終了信号を景品選択端末１５〜１８に送信する。景品選択端末１５〜１８は、終了信号を受信すると、指示された景品を示す景品情報をＩＣカード１に書き込んで、ＩＣカード１を排出する。この時、遊技者の確認操作が行われた時に当該会員ＩＤの貯玉数を変更するようにしてもよい。
【０００９】
遊技者は、景品情報等が書き込まれたＩＣカード１を自動景品払い出し機２１のカード挿入口に挿入する。ＩＣカード１として会員ＩＤが書き込まれているＩＣカードを用いる場合には、入力手段より暗証番号を入力する。
自動景品払い出し機２１は、読取／書込手段により読み取った景品情報に対応する景品を景品払い出し口から払い出すとともに、計数値から景品の交換玉数を減算し減算値を計数値としてＩＣカード１に書き込む。ＩＣカード１に書き込まれた計数値は、次回に計数値が書き込まれる時に加算される。
【００１０】
また、自動景品払い出し機２１は、読取／書込手段によりＩＣカード１に書き込まれている会員ＩＤを読み取った場合には、会員ＩＤ、景品の交換玉数や入力手段より入力された暗証番号等を貯玉サーバー１９に送信して認証を行う。認証は会員ＩＤのみで行ってもよく、この場合には暗証番号の入力は不要である。
認証がＮＧの場合には、貯玉サーバー１９は、エラー信号を自動景品払い出し機２１に送信してエラーメッセージを出力させる。
一方、認証がＯＫの場合には、貯玉サーバー１９は、当該会員ＩＤの貯玉数から景品の交換玉数を減算し、減算値を当該会員ＩＤの貯玉数として記憶するとともに自動景品払い出し機２１に送信する。これにより、自動景品払い出し機２１は、減算値を表示手段等に出力するとともに、景品情報に対応する景品を景品払い出し口から払い出す。この時、遊技者が減算値の確認操作を行った時に貯玉サーバー１９に記憶されている当該会員ＩＤの貯玉数を変更するようにしてもよい。また、減算値をＩＣカード１に書き込んでもよい。
なお、ＩＣカード１に会員ＩＤが書き込まれている場合、景品選択端末１５〜１８で景品情報及び計数値をＩＣカード１に書き込み、自動景品払い出し機２１で景品と交換する際に当該会員ＩＤの貯玉数、計数値、交換玉数の加減算を行って当該会員ＩＤの貯玉数を変更するようにしてもよい。
【００１１】
自動景品払い出し機２１は、音楽データや画像データを記録した記録媒体も景品として提供可能である。
この場合、自動景品払い出し機２１に記録媒体と記録媒体に音楽データや画像データを記録するための記録装置を設けるとともに、景品サーバー２０に音楽や画像の曲目やタイトル等を含んだ景品データを記憶させておく。
自動景品払い出し機２１は、読取／書込手段によりＩＣカード１から読み取った景品情報が音楽データや画像データの曲目やタイトルを示している場合には、通信サーバー２２を介してセンターサーバー３１から景品情報で示されている曲名やタイトルの音楽データや画像データを受信し、記憶媒体に書き込んで景品払い出し口から払い出す。なお、景品として提供する音楽データや画像データを、予めセンターサーバー３１から自動景品払い出し機２１にダウンロードして記憶させておくこともできる。
このような音楽データや画像データは、景品の在庫管理が不要であるため、景品がデッドストックになることがない。
【００１２】
会員ＩＤが書き込まれているＩＣカード１を所持している遊技者は、景品選択端末で獲得玉を貯玉として保管することもできる。
獲得玉を貯玉として保管する場合には、前記した景品選択端末１５〜１８の表示手段等に計数値を出力している状態で貯玉を指示する。これにより、景品選択端末１５〜１８は、計数値を貯玉サーバー１９に送信する。貯玉サーバーは、ＩＣカード１に書き込まれている会員ＩＤの貯玉数に受信した計数値を加算し、加算値を当該ＩＤの貯玉数として記憶するととも景品選択端末１５〜１８に送信する。景品選択端末１５〜１８は、加算値を表示手段等に出力する。この時、遊技者が確認操作を行った時に貯玉サーバー１９に記憶している当該ＩＤの貯玉数を変更するようにしてもよい。
【００１３】
会員ＩＤが書き込まれているＩＤカード１を所持している遊技者は、景品選択端末１５〜１８で貯玉を景品に交換することもできる。
この場合には、景品選択端末１５〜１８のカード挿入口にＩＣカード１を挿入するとともに、入力手段より暗証番号を入力する。景品選択端末１５〜１８は、会員ＩＤや暗証番号を貯玉サーバー１９に送信して認証を行う。認証がＯＫであれば、貯玉サーバー１９は、当該会員ＩＤの貯玉数を景品選択端末１５〜１８に送信する。これにより、景品選択端末１５〜１８は、当該会員ＩＤの貯玉数を表示手段等に出力する。
遊技者が景品交換を指示すると、景品選択端末１５〜１８は、景品サーバー２０から景品データを受信して表示手段等に出力する。
遊技者が所定の景品を指示すると、景品選択端末は、貯玉数が指示された景品の交換玉数以上であるか否かを判断し、貯玉数が指示された景品の交換玉数以上である場合には、指示された景品を示す景品情報をＩＣカード１に書き込んで、ＩＣカード１を排出する。
遊技者が景品情報が書き込まれたＩＣカードを自動景品払い出し機２１のカード挿入口に挿入し、入力手段より暗証番号を入力すると、自動景品払い出し機２１はＩＣカードから読み取った会員ＩＤ等を貯玉サーバー１９に送信して認証を行う。認証がＯＫであれば、貯玉サーバー１９は、当該会員ＩＤの貯玉数から景品情報に対応する景品の交換玉数を減算し、減算値を当該会員ＩＤの貯玉数として記憶するとともに自動払い出し機２１に送信する。自動払い出し機２１は、減算値を表示手段等に出力するとともに、景品情報に対応する景品を景品払い出し口から払い出す。
【００１４】
なお、ＩＣカード１に書き込まれた景品情報や計数値等を読み取る読取機を景品交換窓口に設けることもできる。この場合には、係員は、遊技者から受け取ったＩＣカード１を読取機の挿入口に挿入する。これにより、読取機により読み取った計数値や景品情報が例えば表示手段に表示される。係員が表示手段に表示された景品情報を確認して確認操作を行うと、計数値から景品の交換玉数を減算した減算値がＩＣカード１に書き込まれる。そして、係員は、景品情報に対応する景品を遊技者に渡すとともに、ＩＣカード１を遊技者に返却する。
会員ＩＤが書き込まれているＩＣカード１が読取機のカード挿入口に挿入された場合には、読取機は、貯玉サーバー１９に会員ＩＤ、景品の交換玉数を送信する。貯玉サーバー１９は、会員ＩＤ等に基づいて認証を行い、認証がＯＫであれば当該会員ＩＤの貯玉数から景品の交換玉数を減算し、減算値を当該会員ＩＤの貯玉数として記憶するとともに読取機に終了信号を送信する。読取機は、終了信号を受信するとＩＣカード１を排出する。なお、読取機に減算値を表示し、遊技者が確認操作を行った時に貯玉サーバー１９に記憶されている当該会員ＩＤの貯玉数を変更するとともにＩＣカード１を排出するようにしてもよい。
その後、係員は、景品情報に対応する景品を遊技者に渡すとともに、ＩＣカード１を遊技者に返却する。
【００１５】
以上のように、本発明の景品交換装置では、各遊技機の場所で玉を計数することができるため、従来のように玉を玉計数機まで運ぶ必要がなく、煩わしさが解消される。
また、各遊技機の場所で玉を景品に交換する予約を行うことができるため、十分な景品選択時間があり、欲しい景品を選択することができる。
また、自動景品払い出し機に景品情報等が書き込まれたＩＣカードを挿入するだけで、自動的に景品が払い出されるため、景品交換のための人員を削減することができる。
また、景品交換窓口ではＩＣカードを読取機に挿入するだけですむため、景品交換時間が短縮される。
【００１６】
なお、以上の実施の形態では景品選択端末でＩＣカードに景品情報や計数値等を書き込むようにしたが、景品情報や計数値等を書き込む記憶媒体はＩＣカードに限定されず、レシート等でもよい。
また、景品選択端末で遊技者が景品を指示した時にＩＣカードに景品情報や計数値等を書き込んだが、景品情報や計数値等は例えば景品サーバーに記憶させ、ＩＣカード等にＩＤを書き込むようにしてもよい（会員ＩＤが書き込まれている場合には会員ＩＤを用いる）。この場合には、ＩＣカード等を自動景品払い出し機や景品交換窓口の読取機に挿入すると、自動景品払い出し機や景品交換窓口の読取機は、ＩＣカード等に書き込まれているＩＤを景品サーバーに送信し、景品サーバーから景品情報や計数値等を受信する。
また、景品選択端末と自動景品払い出し機を別々に設けたが、景品選択端末と自動景品払い出し機を一体としてもよい。
また、景品選択端末は会員ＩＤが書き込まれたＩＣカード専用あるいは会員ＩＤが書き込まれていないＩＣカード専用とすることもできる。
また、景品選択端末を各遊技機に設けたが、景品選択端末は島端部等に設けてもよい。
また、貯玉サーバーに会員ＩＤや会員ＩＤの貯玉数を含む貯玉データを記憶させたが、例えば台サーバーに会員ＩＤや暗証番号を含む会員データ、各遊技機の入賞回数や稼働時間等を含む台データを記憶させ、会員サーバーに会員ＩＤや会員ＩＤの貯玉数を含む貯玉データを記憶させるようにしてもよい。この場合には、会員サーバーと台サーバーとにより本実施の形態で説明した貯玉サーバーが構成される。
【００１７】
【発明の効果】
以上説明したように、請求項２〜４のいずれかに記載の景品交換装置を用いれば、容易に、短時間に玉を景品に交換することができる。
また、請求項１〜６のいずれかに記載の景品交換装置を用いれば、短時間に景品を受け取ることができ、また景品交換のための人員が削減できる。
また、本発明の景品交換装置を用いれば、景品交換時間を短縮することができる。
また、請求項３に記載の景品交換装置を用いれば、獲得玉と貯玉を合計した玉数で景品と交換できるため、景品選択範囲が広がる。
【図面の簡単な説明】
【図１】
本発明の景品交換装置の一実施の形態を用いたパチンコ店の概略図である。
【符号の説明】
１１〜１４  遊技機
１５〜１８  景品選択端末
１９  貯玉サーバー
２０  景品サーバー
２１  自動景品払い出し機
２２  通信サーバー
３１  センターサーバー